(57)【要約】【課題】  感光体へのダメージや印刷媒体の汚れを発生させることなく、印刷媒体の変形に起因する転写不良を防止することが可能であり、構成が安価で容易な転写機構を実現する。【解決手段】  転写装置の近傍に、印刷媒体を画像担持体に押し付ける押圧部と、印刷媒体の張力により押し付け力が発生する押圧力付加部とからなる押圧手段を備えた。【選択図】  図１
2007003891.tif 000002
【特許請求の範囲】
【請求項１】
画像担持体に対向する位置に設置され、前記画像担持体上に形成されたトナー画像を印刷媒体に静電的に転写する転写装置を備えた電子写真式印刷装置において、前記転写装置の近傍に、前記印刷媒体を前記画像担持体に押し付ける押圧部と、前記印刷媒体の張力により押し付け力が発生する押圧力付加部とからなる押圧手段を備えたことを特徴とする電子写真式印刷装置。
【請求項２】
前記押圧手段は、印刷幅方向に分割されていることを特徴とする請求項１記載の電子写真式印刷装置。
【請求項３】
前記押圧手段の分割幅を、前記印刷媒体の設定幅単位とすることを特徴とする請求項２記載の電子写真式印刷装置。
【請求項４】
前記押圧手段の第一の分割幅を前記印刷媒体の最小設定幅とし、第二以降の分割幅を前記印刷媒体の設定幅単位とすることを特徴とする請求項２記載の電子写真式印刷装置。
【発明の詳細な説明】
【技術分野】
【０００１】
本発明は、画像担持体上に形成されたトナー画像を印刷媒体に静電的に転写する転写装置を備えた電子写真式印刷装置に関するものである。
【背景技術】
【０００２】
図４に電子写真式印刷装置の一例を示す。同図において、２は印刷媒体、３は感光体、４はリトラクタ、５はトナー像を転写するコロナ転写器、６はレーザ光、７は帯電器、８は現像機、９は印刷媒体搬送ユニット、１０はトナー像を定着させるヒートローラ、１１は定着時に印刷媒体２をヒートローラ１０に押し付けるバックアップローラである。
【０００３】
このように構成された印刷装置で、帯電器７により表面が一様に帯電された感光体３へレーザ光６により書き込まれた静電潜像は現像機８により現像され、印刷媒体２が印刷媒体搬送ユニット９より送り出され、リトラクタ４を通過する時、感光体３上のトナー像がコロナ転写器５により印刷媒体２に転写される。この時、印刷媒体幅全面において均一に転写するために、リトラクタ４により印刷媒体２を感光体３に対し一定の距離（０．５ｍｍ以下）を保っている。その後送り出された印刷媒体２はヒートローラ１０およびバックアップローラ１１を通りトナー像が溶融定着され、排出される。
【０００４】
ここで、印刷に用いられる印刷媒体２の表面は、印刷媒体２の種類や環境の変化によって均一性・平滑性にムラがある場合がある。例えば一度印刷を行った印刷媒体２では、印刷媒体２の含水率の急激な変化により、印刷媒体２に皺や波打ちが発生する場合がある。このような印刷媒体２に印刷を行った場合、転写部における印刷媒体２と感光体３の密着度にムラが生じ、転写不良が発生する場合がある。この対策として、例えば印刷媒体２を感光体３に押し付け、密着度を上げることで転写不良を防止する方法が提案されている（特許文献１参照）。
【０００５】
【特許文献１】特開平５−１５０６６９号公報
【発明の開示】
【発明が解決しようとする課題】
【０００６】
今日では、多種多様な印刷媒体を印刷できる印刷装置であることが要求されており、上記のような対策の場合、印刷媒体幅の狭い印刷媒体に印刷するケースに於いては、印刷媒体が掛かっていない部分で押圧手段が感光体に直接接触し、押圧手段が汚れてしまい、印刷媒体幅の広い印刷媒体の印刷時に印刷媒体を汚してしまうことになる。更には、感光体にダメージを与えてしまうことが考えられる。一方で、押圧手段の交換や切換を実施する場合でも、印刷媒体幅の種類数だけ準備する必要があり、多くの手間と費用が掛かってしまう。また、切換機構には、専用の駆動源が必要となるため高価になってしまう。
【課題を解決するための手段】
【０００７】
本発明は、画像担持体に対向する位置に設置され、前記画像担持体上に形成されたトナー画像を印刷媒体に静電的に転写する転写装置を備えた電子写真式印刷装置において、前記転写装置の近傍に、前記印刷媒体を前記画像担持体に押し付ける押圧部と、前記印刷媒体の張力により押し付け力が発生する押圧力付加部とからなる押圧手段を備えたことを特徴とする。
【発明の効果】
【０００８】
本発明によれば、感光体へのダメージや印刷媒体の汚れを発生させることなく、印刷媒体の変形に起因する転写不良を防止する、安価で容易な電子写真式印刷装置を提供することができる。
【発明を実施するための最良の形態】
【０００９】
以下に、本発明を実施例により説明する。
【００１０】
図１は、転写装置の実施例を示す。なお、図４と同じ部材には同じ符号を付し、説明を省略する。本実施例では転写装置において、コロナ転写器５の近傍に印刷媒体２を感光体３に押し付ける押圧手段１を設けてある。例えば図５のように印刷装置Ｐ１にて一度印刷された印刷媒体２は、定着熱により皺や波打ち等の変形が生じる場合がある。このような印刷媒体を印刷装置Ｐ２で印刷すると、印刷媒体の波山と波谷とにより感光体への接触部分と非接触部分が生じ、転写不良の要因となる。押圧手段１により発生した押し付け力により、この非接触部分を強制的に接触させ、転写不良を防止することができる。
【００１１】
押圧手段１は、弾性が高く、かつ耐摩耗性の高い材料（例えば０．１ｍｍないし０．３ｍｍ厚のポリイミド板）からなり、点Ｓを支点に揺動する構成となっている。点Ｑと点Ｒはそれぞれ印刷媒体２と接触した場合、点Ｑは印刷媒体張力により押し上げられ、その作用により点Ｒが印刷媒体を感光体３に押し付けることになる。一方、点Ｑと点Ｒが共に印刷媒体２と接触しない場合は、点Ｑへの印刷媒体張力がなくなるため、点Ｒは感光体３への押し付け力を失う。
【００１２】
このような、印刷媒体張力を利用した押し付け力は、次の条件が必要となる。すなわち、図２にて、Ｆ１、Ｆ２、Ｆ３、Ｆ４は印刷媒体張力であり、Ｆ１＝Ｆ２＝Ｆ３＝Ｆ４の関係にある。Ｆ５、Ｆ６はそれぞれ点Ｒと点Ｑに掛かる印刷媒体張力の合力である。Ｆ７、Ｆ８はそれぞれ点Ｒと点Ｑにおける押圧手段１の回転力である。支点Ｓから点Ｒ、点Ｑまでの長さをそれぞれＬ１、Ｌ２とすると、Ｆ７＜（Ｌ１／Ｌ２）×Ｆ８となるようにすることで、印刷媒体張力を利用して押し付け力を発生させることができる。
【００１３】
図３は、押圧手段１の詳細図で、該押圧手段１は印刷幅方向に複数の押圧部材１ａ〜１ｇに分割した構成になっている。押圧部材１ａや押圧部材１ｇ等の各分割単位は、上記条件を満たす構成となっている。分割幅は、例えば印刷装置で使用できる印刷媒体幅が８インチから１８インチまでの０．５インチ刻みで設定可能な場合、押圧手段１ａを含めた全ての幅を０．５インチとしても良いし、押圧手段１ａのみを８インチとし、押圧手段１ｂ以降を０．５インチとしてもよい。
【００１４】
このような構成をとった場合、印刷媒体２が掛かっている部分にのみ押圧手段１による押し付け力が発生するため、印刷媒体２が掛かっていない部分で押圧手段１が感光体３に直接接触することを回避し、感光体３へのダメージを防止することが可能となる。更には、印刷媒体２が掛かっていない部分で押圧手段１が感光体３に直接接触しないので、押圧手段１が未転写トナーで汚れることがなく、後に印刷媒体幅の広い印刷媒体２への印刷を実施した場合でも、押圧手段１と印刷媒体２の擦り汚れを防止することが可能となる。
【００１５】
以上のように本発明によれば、感光体３へのダメージや印刷媒体２の汚れを発生させることなく、印刷媒体２の変形に起因する転写不良を防止でき、専用の駆動源を持つ必要が無い安価で容易な電子写真式印刷装置の転写機構が実現できる。
【図面の簡単な説明】
【００１６】
【図１】本発明電子写真式印刷装置の転写機構の構成図。
【図２】本発明電子写真式印刷装置の転写機構における押圧手段の概念図。
【図３】本発明電子写真式印刷装置の転写機構における押圧手段の斜視図。
【図４】電子写真式印刷装置の一例を示す構成図。
【図５】印刷システムの一例を示す構成図。
【符号の説明】
【００１７】
１…押圧手段、２…連続印刷媒体、３…感光体、４…リトラクタ、５…コロナ転写器、６…レーザ光、７…帯電器、８…現像機、９…印刷媒体搬送ユニット、１０…ヒートローラ、１１…バックアップローラ。
【図１】
2007003891.tif 000003
【図２】
2007003891.tif 000004
【図３】
2007003891.tif 000005
【図４】
2007003891.tif 000006
【図５】
2007003891.tif 000007